【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
交流電源から供給される交流電力を直流電力に変換して直流負荷に供給する交流直流変換装置であって、
前記交流電源にリアクタを介して並列接続される第１および第２の整流器と、
前記第１の整流器の前記直流負荷への出力端子間に直列に接続された２つのコンデンサと、
前記第２の整流器の出力端子間に直列に接続され、該接続点が前記２つのコンデンサの接続点に接続された２つのスイッチング素子と、
前記２つのスイッチング素子を制御して前記直流負荷への出力電圧値の昇圧制御を行うと共に、前記直流負荷を制御する制御部と、
を備え、
前記制御部は、
前記昇圧制御を行っている際の前記２つのコンデンサの各両端間電圧に基づいて、前記２つのスイッチング素子の故障判定を行い、前記２つのスイッチング素子のうちの一方が故障していると判定した場合に、前記２つのスイッチング素子をオフ制御して前記昇圧制御を停止すると共に、前記直流負荷を停止させる
ことを特徴とする交流直流変換装置。
【請求項２】
交流電源から供給される交流電力を直流電力に変換して直流負荷に供給する交流直流変換装置であって、
前記交流電源にリアクタを介して並列接続される第１および第２の整流器と、
前記第１の整流器の前記直流負荷への出力端子間に直列に接続された２つのコンデンサと、
前記第２の整流器の出力端子間に直列に接続され、該接続点が前記２つのコンデンサの接続点に接続された２つのスイッチング素子と、
前記２つのスイッチング素子を制御して前記直流負荷への出力電圧値の昇圧制御を行うと共に、前記直流負荷を制御する制御部と、
を備え、
前記制御部は、
前記２つのコンデンサの少なくとも一方の両端間電圧が規定値以下の場合には、前記直流負荷の制御および昇圧動作を開始しない
ことを特徴とする交流直流変換装置。
【請求項３】
交流電源から供給される交流電力を直流電力に変換して直流負荷に供給する交流直流変換装置であって、
前記交流電源にリアクタを介して並列接続される第１および第２の整流器と、
前記第１の整流器の前記直流負荷への出力端子間に直列に接続された２つのコンデンサと、
前記第２の整流器の出力端子間に直列に接続され、該接続点が前記２つのコンデンサの接続点に接続された２つのスイッチング素子と、
前記２つのコンデンサにそれぞれ逆並列接続され、前記直流負荷に流し得る電流値よりも電流容量が大きい２つの逆電圧防止ダイオードと、
前記２つのスイッチング素子を制御して前記直流負荷への出力電圧値の昇圧制御を行うと共に、前記直流負荷を制御する制御部と、
を備え、
前記制御部は、
前記昇圧制御を行っている際の前記２つのコンデンサの各両端間電圧に基づいて、前記２つのスイッチング素子の故障判定を行い、前記２つのスイッチング素子のうちの一方が故障していると判定した場合に、前記２つのスイッチング素子をオフ制御して前記昇圧制御を停止すると共に、前記直流負荷の運転範囲を通常時よりも制限して動作させる
ことを特徴とする交流直流変換装置。
【請求項４】
前記制御部は、前記故障判定を行う際に、前記２つのコンデンサのうちの何れか一方の両端間電圧が規定値以下となった場合に、前記２つのスイッチング素子のうちの一方が故障していると判定することを特徴とする請求項１または３に記載の交流直流変換装置。
【請求項５】
交流電源から供給される交流電力を直流電力に変換して直流負荷に供給する交流直流変換装置であって、
前記交流電源にリアクタを介して並列接続される第１および第２の整流器と、
前記第１の整流器の前記直流負荷への出力端子間に直列に接続された２つのコンデンサと、
前記第２の整流器の出力端子間に直列に接続された２つのスイッチング素子と、
前記２つのコンデンサの接続点と前記２つのスイッチング素子の接続点との間に挿入された保護スイッチと、
前記２つのスイッチング素子を制御して前記直流負荷への出力電圧値の昇圧制御を行うと共に、前記直流負荷を制御する制御部と、
を備え、
前記制御部は、
前記直流負荷が動作し、且つ、前記昇圧制御が停止している期間において、前記第２の整流器の出力端子間に流れる電流に基づいて、前記２つのスイッチング素子の故障判定を行い、前記２つのスイッチング素子の両方がショート故障している以外のスイッチング素子故障の場合に、前記保護スイッチをオフ制御し、前記２つのスイッチング素子をオフ制御した全波整流状態とすると共に、前記直流負荷の運転範囲を通常時よりも制限して動作させる
ことを特徴とする交流直流変換装置。
【請求項６】
前記制御部は、前記故障判定を行う際に、前記２つのスイッチング素子をオン制御、且つ、前記保護スイッチをオフ制御した状態で、前記第２の整流器の出力端子間に流れる電流が規定値未満である場合に、前記第１および第２のスイッチング素子の何れか一方あるいは両方がオープン故障していると判定することを特徴とする請求項５に記載の交流直流変換装置。
【請求項７】
前記制御部は、前記故障判定を行う際に、前記２つのスイッチング素子の一方をオン制御し、他方をオフ制御し、且つ、前記保護スイッチをオフ制御した状態で、前記第２の整流器の出力端子間に流れる電流が規定値以上である場合に、前記２つのスイッチング素子の他方がショート故障していると判定し、前記保護スイッチをオフ制御し、前記２つのスイッチング素子の一方を用いて全波整流モードと電源短絡モードとを併用した昇圧制御を行なうと共に、当該昇圧制御の目標直流電圧を、高調波規制値をクリアできる範囲の出力電圧範囲に制限し、前記直流負荷の運転範囲を前記全波整流状態よりも拡大して動作させることを特徴とする請求項５に記載の交流直流変換装置。
【請求項８】
交流電源から供給される交流電力を直流電力に変換して直流負荷に供給する交流直流変換装置であって、
前記交流電源にリアクタを介して並列接続される第１および第２の整流器と、
前記第１の整流器の前記直流負荷への出力端子間に直列に接続された２つのコンデンサと、
前記第２の整流器の出力端子間に直列に接続された２つのスイッチング素子と、
前記２つのコンデンサの接続点と前記２つのスイッチング素子の接続点との間に挿入された保護スイッチと、
前記第１の整流器の前記直流負荷への出力端子間に直列に接続され、該接続点が前記２つのスイッチング素子の接続点に接続された複数の抵抗と、
前記２つのスイッチング素子を制御して前記直流負荷への出力電圧値の昇圧制御を行うと共に、前記直流負荷を制御する制御部と、
を備え、
前記制御部は、
前記直流負荷が動作し、且つ、前記昇圧制御が停止している期間において、前記第１の整流器の出力端子間の第１の電圧および前記第１の整流器の負極側出力端子を基準とした前記２つのスイッチング素子の接続点の第２の電圧に基づいて、前記２つのスイッチング素子の故障判定を行い、前記２つのスイッチング素子の両方がショート故障している以外のスイッチング素子故障の場合に、前記保護スイッチをオフ制御し、前記２つのスイッチング素子をオフ制御した全波整流状態とすると共に、前記直流負荷の運転範囲を通常時よりも制限して動作させる
ことを特徴とする交流直流変換装置。
【請求項９】
前記制御部は、前記故障判定を行う際に、前記２つのスイッチング素子の一方をオン制御し、他方をオフ制御し、且つ、前記保護スイッチをオフ制御した状態で、前記第１の電圧の半値から前記第２の電圧を差し引いた値の絶対値が規定値未満である場合に、前記２つのスイッチング素子の一方がオープン故障していると判定することを特徴とする請求項８に記載の交流直流変換装置。
【請求項１０】
前記制御部は、前記故障判定を行う際に、前記２つのスイッチング素子および前記保護スイッチをオフ制御した状態で、前記第１の電圧の半値から前記第２の電圧を差し引いた値の絶対値が規定値以上である場合に、前記２つのスイッチング素子の一方がショート故障していると判定し、前記保護スイッチをオフ制御し、前記２つのスイッチング素子の一方を用いて全波整流モードと電源短絡モードとを併用した昇圧制御を行なうと共に、当該昇圧制御の目標直流電圧を、高調波規制値をクリアできる範囲の出力電圧範囲に制限し、前記直流負荷の運転範囲を前記全波整流状態よりも拡大して動作させることを特徴とする請求項８に記載の交流直流変換装置。
【請求項１１】
前記制御部は、前記故障判定において、連続して故障していると判定した回数が規定値未満である場合に、前記故障判定時以降の規定時間経過後において、前記故障判定で故障でないと判定したときは前記昇圧制御を開始することを特徴とする請求項１から１０の何れか一項に記載の交流直流変換装置。
【請求項１２】
前記制御部の基準グランドが前記第１の整流器の負極側出力端子と非絶縁で接続されたことを特徴とする請求項１から１１の何れか一項に記載の交流直流変換装置。
【請求項１３】
前記制御部が前記スイッチング素子がショート故障もしくはオープン故障していると判定した際に当該故障を報知する故障報知手段を備えることを特徴とする請求項１から１２の何れか一項に記載の交流直流変換装置。
【請求項１４】
請求項１から１３の何れか一項に記載の交流直流変換装置と、
前記直流負荷として、前記交流直流変換装置から供給される直流電力を交流電力に変換して圧縮機の永久磁石電動機を駆動するインバータ主回路と、
を備えることを特徴とする圧縮機駆動装置。
【請求項１５】
請求項１４に記載の圧縮機駆動装置を備え、当該圧縮機駆動装置により駆動される圧縮機により冷媒が循環されることを特徴とする空気調和機。